(57)【特許請求の範囲】
【請求項１】
基板を回転させながら基板に処理液を供給し、基板の表面の液を振り切り乾燥を行う基板処理装置であって、
基板を挟持することなく下方から支持することにより基板を摺動自在に保持する基板保持手段と、
前記基板保持手段に保持された基板を鉛直方向の軸芯周りで回転させる基板回転手段と、
前記基板保持手段に保持された基板に対向して配置された押圧手段と、
前記押圧手段を前記基板保持手段に対して前記基板の主面に当接して前記基板保持手段との間に基板を挟持した近接位置と、離間した離間位置との間で相対的に移動させる移動手段と、
基板を処理する際に、押圧手段を離間位置にした状態で基板保持手段を回転し、回転する基板に対して処理液を供給する第一処理工程と、前記移動手段により押圧部材を近接位置にした状態で基板の周縁部を挟持し、前記押圧手段と前記基板保持手段をとともに回転する第二処理工程とで前記基板回転手段と前記移動手段を制御する制御手段と、
を具備し、
前記第一処理工程は、前記基板保持手段に保持されつつ回転する基板に対して処理液を供給することにより前記基板保持手段上の基板を摺動させる摺動工程を含み、
前記第二処理工程は、前記押圧部材と前記基板保持手段とが基板の周縁部を挟持し一体的に回転して基板表面の液成分を振り切る乾燥工程を含むことを特徴とする基板処理装置。
【請求項２】
請求項１に記載の基板処理装置において、
前記基板保持手段は、基板を水平姿勢で支持した状態で回転駆動する回転支持板と、前記回転支持板に立設され、基板の外周端縁に当接して前記基板の水平位置を規制するとともに基板の下面を摺動自在に保持する基板保持部材と、を有することを特徴とする基板処理装置。
【請求項３】
基板を回転させながら基板に処理液を供給して処理し、基板の表面の液を振り切り乾燥を行う基板処理方法であって、
基板を挟持することなく基板の外周端縁を下方から支持することにより基板を基板保持手段で摺動自在に保持し、基板を回転させながら基板の少なくとも一方側の面に処理液を供給して処理する第一処理工程と、
前記基板保持手段に対して相対的に移動する押圧手段が、前記基板の一方側の面に当接して前記基板保持手段との間に基板を挟持した状態で、前記押圧手段と前記基板保持手段をとともに回転する第二処理工程と、
を具備し、
前記第一処理工程は、前記基板保持手段に保持されつつ回転する基板に対して処理液を供給することにより前記基板保持手段上の基板を摺動させる摺動工程を含み、
前記第二処理工程は、前記押圧部材と前記基板保持手段とが基板の周縁部を挟持し一体的に回転して基板表面の液成分を振り切る乾燥工程を含むことを特徴とする基板処理方法。
【請求項４】
請求項３に記載の基板処理方法において、
前記第一処理工程は、基板の下面に処理液を供給し、遠心力で基板上面の周辺部に処理液を周り込ませて基板外周端縁の処理を行うことを特徴とする基板処理方法。
【発明の詳細な説明】
【０００１】
【発明の属する技術分野】
本発明は、液晶表示器用のガラス基板や半導体ウェハなどの基板を保持した状態で鉛直方向の軸芯周りで回転させながら洗浄処理や乾燥処理などの所要の処理を施す基板処理装置及び処理方法に係り、特に基板の周辺部の処理をムラなく行う技術に関する。
【０００２】
【従来の技術】
従来のこの種の基板処理装置として、例えば、基板の端縁を当接支持するための保持ピンが複数個立設された回転台を備えたものが挙げられる。例えば、図９、図１０に示すように、基板Ｗの外周端縁の３箇所以上を基板保持部材１００で保持し、基板Ｗの処理時には、回転台１０１ごと基板Ｗを回転させながら、回転台１０１の中心Ｐ１付近に配設されたノズルから基板Ｗの一方側の処理面（図では下面）に向けて処理液Ｑを吐出させ、遠心力で中心Ｐ１側から周辺側に向けて下面を伝わった処理液Ｑを上面に回り込ませる。
【０００３】
これによって、基板Ｗの処理面全面と基板Ｗの外周端縁、あるいは、基板Ｗの処理面全面と基板Ｗの外周端縁と基板Ｗの処理面と反対側の反対面（図では上面）の周辺部を含む図の点線で示す処理領域ＲＡを処理する基板処理方法が実施されている。すなわち、基板Ｗの上面のうち周辺部だけが処理液によって処理されるようになっている。処理の具体例としては、上面全体に銅メッキが施された基板を処理の対象とし、下面全体と、上面のうちの周辺部だけ、例えば、周辺部の１〜７ｍｍ程度で銅メッキを除去するものが挙げられる。
【０００４】
上記の基板保持部材１００には、基板が遠心力により飛び出すことがないように、爪やリングなどから成る部材を用いて基板の外周端縁を保持するメカニカルチャックがある。メカニカルチャックの保持力は、バネ等から成る付勢手段を備え、この付勢手段の機械的な力を利用するものである。また、この保持力は回転台１０１に設けられた解除手段の駆動により解除される。
【０００５】
【発明が解決しようとする課題】
しかしながら、このような構成を有する従来例の場合には、次のような問題がある。すなわち、処理の間中、基板Ｗはその外周端縁を複数個の基板保持部材１００によって挟持されている関係上、基板Ｗの上面の周辺部のうちその付近に位置する部分には処理液が到達しない。そのため基板Ｗの上面のうちの周辺部を均一に処理することができないという問題がある。そこで、基板処理中に基板保持部材１００による保持位置がずれる事が要求されるようになってきた。
【０００６】
一方、基板の処理は一つの装置内で種々に処理が続けて行われるが、処理液の除去や基板の乾燥処理では基板を高速回転するため、基板は基板保持部材１００により強く保持される必要がある。そこで、従来のメカニカルチャックで上記のように処理中に保持位置がずれる要求と、高速回転における安定性を同時に達成することが考えられるが、そのためには機械的に複雑な構造が必要になる。
【０００７】
更に、メカニカルチャックであれば回転台に設けられた解除手段が処理中に多量の処理液を浴びることになる。このように解除手段を処理液によって濡らすと、解除手段にかかる駆動系を腐食させ、解除手段の動作不良を引き起こす。このため、処理ムラを防止できる新たなチャック方式が要望されている。
【０００８】
本発明は、このような事情に鑑みてなされたものであって、基板を回転させながら基板に処理液を供給して処理を行う基板処理装置及び処理方法に関し、特に基板をその外周端縁において基板保持部材にて保持する時に、この保持に起因する処理ムラを防止して均一な処理を施すことができる基板処理装置及び処理方法を提供することを目的とする。
【０００９】
【課題を解決するための手段およびその作用・効果】
上記目的を達成するために、本発明は、基板を回転させながら基板に処理液を供給し、基板の表面の液を振り切り乾燥を行う基板処理装置であって、基板を挟持することなく下方から支持することにより基板を摺動自在に保持する基板保持手段と、前記基板保持手段に保持された基板を鉛直方向の軸芯周りで回転させる基板回転手段と、前記基板保持手段に保持された基板に対向して配置された押圧手段と、前記押圧手段を前記基板保持手段に対して前記基板の主面に当接して前記基板保持手段との間に基板を挟持した近接位置と、離間した離間位置との間で相対的に移動させる移動手段と、基板を処理する際に、押圧手段を離間位置にした状態で基板保持手段を回転し、回転する基板に対して処理液を供給する第一処理工程と、前記移動手段により押圧部材を近接位置にした状態で基板の周縁部を挟持し、前記押圧手段と前記基板保持手段をとともに回転する第二処理工程とで前記基板回転手段と前記移動手段を制御する制御手段と、を具備し、前記第一処理工程は、前記基板保持手段に保持されつつ回転する基板に対して処理液を供給することにより前記基板保持手段上の基板を摺動させる摺動工程を含み、前記第二処理工程は、前記押圧部材と前記基板保持手段とが基板の周縁部を挟持し一体的に回転して基板表面の液成分を振り切る乾燥工程を含むことを特徴とする基板処理装置である。
【００１０】
請求項２に係る発明は、請求項１に記載の基板処理装置において、前記基板保持手段は、基板を水平姿勢で支持した状態で回転駆動する回転支持板と、前記回転支持板に立設され、基板の外周端縁に当接して前記基板の水平位置を規制するとともに基板の下面を摺動自在に保持する基板保持部材と、を有することを特徴とする。
【００１１】
請求項３に係る発明は、基板を回転させながら基板に処理液を供給して処理、基板の表面の液を振り切り乾燥を行う基板処理方法であって、基板を挟持することなく基板の外周端縁を下方から支持することにより基板を基板保持手段で摺動自在に保持し、基板を回転させながら基板の少なくとも一方側の面に処理液を供給して処理する第一処理工程と、前記基板保持手段に対して相対的に移動する押圧手段が、前記基板の一方側の面に当接して前記基板保持手段との間に基板を挟持した状態で、前記押圧手段と前記基板保持手段をとともに回転する第二処理工程と、を具備し、前記第一処理工程は、前記基板保持手段に保持されつつ回転する基板に対して処理液を供給することにより前記基板保持手段上の基板を摺動させる摺動工程を含み、前記第二処理工程は、前記押圧部材と前記基板保持手段とが基板の周縁部を挟持し一体的に回転して基板表面の液成分を振り切る乾燥工程を含むことを特徴とする基板処理方法である。
【００１２】
請求項４に係る発明は、請求項３に記載の基板洗浄方法において、前記第一処理工程は、基板の下面に処理液を供給し、遠心力で基板上面の周辺部に処理液を周り込ませて基板外周端縁の処理を行うことを特徴とする。
【００１３】
本発明の作用は次のとおりである。請求項１に係る発明の基板処理装置においては、基板は基板保持手段に摺動自在に保持されているので、この状態で基板を回転させる第一処理工程で基板は基板保持手段に対して滑り出し、基板と基板保持手段の回転数に差が生じて基板が基板保持手段に対して相対回転を行う。したがって、基板保持手段が基板外周端縁の同じ位置に当接し続けることがない。また、第二処理工程では、押圧手段と基板保持手段により基板を挟持して処理されるので、基板は確実に回転される。このように摺動自在に保持された基板に対して押圧手段を近接位置と離間位置とに移動自在に構成することで、基板と基板保持手段との当接位置をずらしながらの第一処理と、確実に保持する第二処理を達成できる。
【００１４】
請求項２に係る発明の基板処理装置においては、基板保持手段は回転支持板と基板保持部材により構成される。基板は基板保持部材にその下面を摺動自在に保持されるので、基板が滑り出しやすくなる。その結果、処理液により汚染されて基板の保持が不確実になるという問題がない。
【００１５】
請求項３に係る発明の基板処理方法においては、基板は第一処理工程により、基板が基板保持手段に対して相対的に回転しながら処理される。したがって、基板保持手段が基板外周端縁の同じ位置に当接し続けることがない。また、第二処理工程により基板は押圧手段と基板保持手段により挟持されて回転しながら処理される。したがって、基板は確実に回転される。すなわち、押圧手段の移動により、基板の周辺部をむらなく処理する工程と、例えば基板を高速回転して乾燥する処理を行う工程を確実に切り換え実施できる。
【００１６】
請求項４に係る発明の基板処理方法においては、基板の下面に処理液を供給し第一処理工程が行われる。したがって、処理液は基板上面の周辺部に周り込むとともに、基板保持部材が基板外周端縁の同じ位置に当接し続けることがない。その結果、基板の保持に起因する処理ムラを防止して均一な処理を基板上面の周辺部に施すことができる。
【００１７】
【発明の実施の形態】
以下では、この発明の実施の形態を、添付図面を参照して詳細に説明する。
図１は本発明の一実施形態に係る基板処理装置の構成を示す縦断面図である。この装置は、処理対象の半導体ウエハ（基板）Ｗに薬液や純水を用いた回転処理を施すためのものであり、薬液と廃液とを分離して排液する機能を備えている。
【００１８】
基板Ｗは、基板保持手段としてのスピンチャック１に水平姿勢で保持される。このスピンチャック１は、回転軸２の上端に一体回転可能に取り付けられた回転支持板としてのスピンベース３を有している。スピンベース３の上面には、基板Ｗの外周端縁を３箇所以上で保持する３個以上の基板保持部材４が、スピンベース３の周縁に沿って等間隔で立設されている。なお、図１以下では、図面が煩雑になることを避けるために、２個の基板保持部材４のみを示している。
【００１９】
各基板保持部材４は、基板Ｗの外周端縁を下方から支持する支持面４ａと支持面４ａに支持された基板Ｗの外周端面に当接して基板Ｗの移動を規制する案内立ち上がり面４ｂとを備えている。
【００２０】
回転軸２の下端付近には、ベルト伝動機構５などによって基板回転手段としての電動モーター６が連動連結されていて、電動モーター６を駆動することによって、回転軸２、スピンチャック１とともに、スピンチャック１に保持された基板Ｗを鉛直方向の軸芯Ｊ周りで回転させる。
【００２１】
また、回転軸２は中空を有する筒状の部材で構成され、この中空部に洗浄液供給管７が貫通され、その上端部の洗浄液供給部７ａからスピンチャック１に保持された基板Ｗの下面の回転中心付近に洗浄液を供給できるように構成されている。洗浄液供給管７は配管８に連通接続されている。この配管８の基端部は分岐されていて、一方の分岐配管８ａには薬液供給源９が連通接続され、他方の分岐配管８ｂには純水供給源１０が連通接続されている。各分岐配管８ａ、８ｂには開閉バルブ１１ａ、１１ｂが設けられていて、これら開閉バルブ１１ａ、１１ｂの開閉を切り換えることで、洗浄液供給部７ａから薬液と純水とを選択的に切り換えて供給できるようになっている。
【００２２】
また、回転軸２の中空部の内壁面と洗浄液供給管７の外壁面との間の隙間は、気体供給路１２となっている。この気体供給路１２は、開閉バルブ１３が設けられた配管１４を介して気体供給源１５に連通接続されていて、気体供給路１２の上端部の気体供給部１２ａからスピンベース３と基板Ｗの下面との間の空間に、清浄な空気や清浄な不活性ガス（窒素ガスなど）などの清浄な気体を供給できるように構成されている。
【００２３】
回転軸２やベルト伝動機構５、電動モーター６などは、ベース部材２０上に設けられた円筒状のケーシング１６内に収容されている。
【００２４】
ベース部材２０上のケーシング１６の周囲には受け部材２１が固定的に取り付けられている。受け部材２１には、円筒状の仕切り部材２２ａ、２２ｂ、２２ｃが立設されていて、これら仕切り部材２２ａ〜２２ｃとケーシング１６の外壁面とによって、排気槽２３、第１の排液槽２４ａ、第２の排液槽２４ｂが形成されている。ケーシング１６の外壁面と内側の仕切り部材２２ａの内壁面との間の空間が排気槽２３であり、内側の仕切り部材２２ａの外壁面と中間の仕切り部材２２ｂの内壁面との間の空間が第１の排液槽２４ａであり、中間の仕切り部材２２ｂの外壁面と外側の仕切り部材２２ｃの内壁面との間の空間が第２の排液槽２４ｂである。
【００２５】
排気槽２３の底部には排気ダクト２５に連通接続された排気口２６が設けられていて、排気口２６から排気槽２３内の気体が吸引されるように構成されている。また、第１の排液槽２４ａの底部には回収ドレイン２７に連通接続された第１の排液口２８ａが設けられ、第２の排液槽２４ｂの底部には廃棄ドレイン２９に連通接続された第２の排液口２８ｂが設けられている。
【００２６】
なお、図１以下では、図面が煩雑になることを避けるために、各仕切り部材２２ａ〜２２ｃ、及び、後述する案内部材３０は、断面形状のみを示している。
【００２７】
第１、第２の排液槽２４ａ、２４ｂの上方には、スピンチャック１及びそれによって保持された基板Ｗの周囲を包囲するように筒状の案内部材３０が昇降自在に設けられている。この案内部材３０には、上方に向かうほど径が小さくなる傾斜部３１ａ、３１ｂが２箇所に形成されている。各傾斜部３１ａ、３１ｂは、互いに間隔をあけて同芯状に配備されている。また、各傾斜部３１ａ、３１ｂの上端部には径Ｒが同じに構成された気体取り込み口３２ａ、３２ｂが形成されている。さらに、傾斜部３１ａの下端部には垂直部３３、３４ａが連なっており、傾斜部３１ｂの下端部には垂直部３４ｂが連なっている。各傾斜部３１ａ、３１ｂは、垂直部３４ａ、３４ｂを介して連結されており、この連結部分には円周方向に、排液案内流路を形成する多数の開口３５が穿設されている。また、案内部材３０には、垂直部３３と垂直部３４ａの間に円環状の溝３６が形成されていて、この溝３６が中間の仕切り部材２２ｂに嵌入されるとともに、垂直部３４ａ、３４ｂが、第２の廃液槽２４ｂ内に嵌入されるように、案内部材３０が配置されている。
【００２８】
スピンチャック１に保持された基板Ｗの高さ位置ＨＷに、傾斜部３１ａが位置しているとき、回転される基板Ｗから飛散される洗浄液は傾斜部３１ａで受け止められ、傾斜部３１ａ、垂直部３３に沿って第１の排液槽２４ａに導かれ、第１の排液口２８ａから排液されることになる。この装置では、傾斜部３１ａ、垂直部３３、第１の排液槽２４ａ、第１の排液口２８ａは薬液の回収に用いられ、第１の排液口２８ａから回収ドレイン２７を経て図示しない回収タンクへ薬液が回収され、その回収タンクから回収された薬液が薬液供給源９に供給されて、薬液が再利用されるようになっている。
【００２９】
また、スピンチャック１に保持された基板Ｗの高さ位置ＨＷに、傾斜部３１ｂが位置しているとき、回転される基板Ｗから飛散される洗浄液は傾斜部３１ｂで受け止められ、傾斜部３１ｂ、垂直部３４ｂに沿い、開口３５から第２の排液槽２４ｂに導かれ、第２の排液口２８ｂから排液されることになる。この装置では、傾斜部３１ｂ、垂直部３４ｂ、開口３５、第２の排液槽２４ｂ、第２の排液口２８ｂは洗浄処理に使用された後の廃液（薬液が混ざった純水）の廃棄に用いられ、第２の排液口２８ｂから廃棄ドレイン２９を経て廃液が廃棄されるようになっている。
【００３０】
案内部材３０は、昇降機構４０に連結される。案内部材３０は、支持部材４１を介して昇降機構４０に支持されている。この昇降機構４０は、図示しないモーターを駆動することにより昇降され、これに伴って案内部材３０が昇降されるようになっている。
【００３１】
案内部材３０は、スピンチャック１に保持された基板Ｗの高さ位置ＨＷに傾斜部３１ａが位置する第１の高さＨ１、基板Ｗの高さ位置ＨＷに傾斜部３１ｂが位置する第２の高さＨ２、上方の気体取り込み口３２ｂが基板Ｗの高さ位置ＨＷよりも下方に位置する第３の高さ位置Ｈ３の３段階の高さ位置で昇降される。案内部材３０の上記第１〜第３の高さ位置Ｈ１〜Ｈ３（第６（ａ）〜（ｃ）参照）に対応する昇降機構４０の高さ位置には、反射型の光センサなどで構成される昇降検出用のセンサが配設され、これらセンサからの検出信号に基づき、モーターが駆動制御され案内部材３０が第１〜第３の高さ位置Ｈ１〜Ｈ３に位置させるように構成されている。なお、図５に示すように、この昇降制御は、昇降制御手段として機能する制御部５０によって行われるように構成されている。
【００３２】
図１に戻って、スピンチャック１の上方には中心部に開口を有する雰囲気遮断部材６０が配置されている。この雰囲気遮断部材６０は、基板Ｗの径より若干大きく、かつ、案内部材３０の気体取り込み口３２ａ、３２ｂの径Ｒよりも小さい径を有していて、中空を有する筒状の支持軸６１の下端部に一体回転可能に取り付けられている。そして、雰囲気遮断部材６０の下面には、基板Ｗの外周部に３箇所以上で当接する３個以上の押圧部材６８が、雰囲気遮断部材６０の周縁に沿って等間隔で立設されている。ここで、押圧部材６８と雰囲気遮断部材６０が本発明の押圧手段に相当する。なお、図１以下では、図面が煩雑になることを避けるために、２個の押圧部材６８のみを示している。
【００３３】
支持軸６１は、支持アーム６２に回転自在に支持されている。支持軸６１には従動プーリ６３が一体回転可能に取り付けられている。その従動プーリ６３と、モーター６４の駆動軸に連結された主動プーリ６５との間に無端ベルト６６が架け渡されていて、モーター６４を駆動することにより支持軸６１とともに雰囲気遮断部材６０が鉛直方向の軸芯Ｊ周りに回転されるように構成されている。
【００３４】
また、支持アーム６２は、移動手段に相当する接離機構６７によって昇降され、この支持アーム６２の昇降によって、スピンチャック１に対して雰囲気遮断部材６０が接離されるように構成されている。この装置では、雰囲気遮断部材６０がスピンチャック１に保持された基板Ｗの上面に対して押圧部材６８が当接し押圧する近接位置ＬＨと、雰囲気遮断部材６０がスピンチャック１に保持された基板Ｗの上面から上方に離れた離間位置である下方位置ＭＨと、大きく離れた上方位置ＨＨとの３段階の位置との間で雰囲気遮断部材６０が昇降できるように構成されている。このような接離動を実現する接離機構６７は、昇降機構４５と同様に螺軸などを用いた機構や、あるいは、エアシリンダなどで構成されている。そして、図５に示すように、この接離制御も制御部５０によって行われるように構成されている。
【００３５】
図１に戻って、雰囲気遮断部材６０の中心の開口及び支持軸６１の中空部には、洗浄液供給管７０が貫通され、その下端部の洗浄液供給部７０ａからスピンチャック１に保持された基板Ｗの上面の回転中心付近に洗浄液を供給できるように構成されている。洗浄液供給管７０は配管７１に連通接続されている。この配管７１の基端部は分岐されていて、一方の分岐配管７１ａには薬液供給源９が連通接続され、他方の分岐配管７１ｂには純水供給源１０が連通接続されている。各分岐配管７１ａ、７１ｂには開閉バルブ７２ａ、７２ｂが設けられていて、これら開閉バルブ７２ａ、７２ｂの開閉を切り換えることで、洗浄液供給部７０ａから薬液と純水とを選択的に切り換えて供給できるようになっている。
【００３６】
また、雰囲気遮断部材６０の中心の開口の内壁面及び支持軸６１の中空部の内壁面と、洗浄液供給管７０の外壁面との間の隙間は、気体供給路７３となっている。この気体供給路７３は、開閉バルブ７４が設けられた配管７５を介して気体供給源１５に連通接続されていて、気体供給路７３の下端部の気体供給部７３ａから雰囲気遮断部材６０と基板Ｗの上面との間の空間に清浄な気体を供給できるように構成されている。
【００３７】
制御部５０は、図５に示すように案内部材３０の昇降制御と雰囲気遮断部材６０の接離制御の他にも、スピンチャック１の回転制御や雰囲気遮断部材６０の回転制御、洗浄液供給部７ａ、７０ａからの洗浄液の供給制御、気体供給部１２ａ、７３ａからの気体の供給制御などの制御も行うように構成されている。
【００３８】
図２は、雰囲気遮断部材６０の底面図である。雰囲気遮断部材６０の下面６０Ａは、基板Ｗの上面に対向する基板対向面をなしており、その周縁部には、周方向に沿って等間隔に６個の押圧部材６８が配置されている。この押圧部材６８は、ゴムやその他の弾性材料から構成されており、その基板Ｗに臨む表面には、図４の拡大断面図に示されているように、基板Ｗとほぼ平行な平坦面６８ａと、基板Ｗの中心に向かうに従って基板Ｗの上面から離反するように傾斜したテーパー面６８ｂとを有している。
【００３９】
図３は、スピンベース３の平面図である。スピンベース３の上面３Ａは基板Ｗの下面に対向する基板対向面をなしており、その周縁部には、周方向に沿って等間隔に６個の基板支持部材４が配置されている。すなわち、雰囲気遮断部材６０側の押圧部材６８に対応するように基板支持部材４が設けられている。この基板支持部材４は、図４の拡大断面図に示されているように、基板Ｗの下面の周縁部を支持する支持面４ａと、この支持面４ａよりもスピンベース３の半径方向外方寄りの位置において立ち上がり、半径方向内方に向かうに従って下がるように傾斜した案内立ち上がり面４ｂとを有している。この基板支持部材４の支持面４ａは基板Ｗの下面が滑る材質で形成されており、例えばＰＴＦＥやその他の弾性材料で構成されている。
【００４０】
図示しない基板搬送ロボットからスピンベース３への基板Ｗの受け渡しが行われるとき、基板Ｗは、基板支持部材４の案内立ち上がり面４ｂによって支持面４ａへと案内されて落とし込まれる。この時、６個の基板支持部材４上で基板Ｗは飛び出しは規制されるが、挟持されておらず支持面４ａに摺動自在に保持されていることとなる。こうして、基板Ｗがスピンベース３に位置合わせされて保持された後、接離機構６７が雰囲気遮断部材６０を下降させる。そして、スピンベース３と雰囲気遮断部材６０とが近接される過程で、雰囲気遮断部材６０側の押圧部材６８のテーパー面６８ｂが基板Ｗの上面の周縁部に接し、基板Ｗを回転中心に向けて案内しながら弾性変形する。このとき、スピンベース３側の基板支持部材４の弾性変形も同時に起こる。そして、この状態では、基板支持部材４と押圧部材６８はそれぞれ弾性変形して、基板Ｗの周縁部を挟持する。このとき、雰囲気遮断部材６０の下面６０Ａと基板Ｗの上面との間には一定の間隔Ｄ１が確保され、同様に、基板Ｗの下面とスピンベース３の上面３Ａとの間には一定の間隔Ｄ２が確保される。
【００４１】
以上のような構成を有する装置の動作を図６（ａ）ないし図６（ｃ）を参照して説明する。図６（ａ）はスピンチャック１に対する基板Ｗの受渡しを行う状態を示し、図６（ｂ）は薬液処理の状態、図６（ｃ）はリンス処理及び乾燥処理の状態を示している。なお、一例として、基板Ｗはその上面にメッキ処理がされており、この装置にて上面の周辺部数ｍｍ程度をエッチングして除去する処理を施すことを目的としているものとして説明する。
【００４２】
処理工程の全体の流れについて以下に概説する。
まず、図６（ａ）に示すように、未処理の基板Ｗをスピンチャック１に搬入するときには、制御部５０は、接離機構６７を制御して、雰囲気遮蔽部材６０を上昇させる。これに伴い、雰囲気遮蔽部材６０これに関連して設けられている洗浄液供給管７０や各種の配管７１などが上昇する。そして、昇降機構４０を制御して、案内部材３０を第３の高さ位置Ｈ３に位置させて、スピンチャック１を案内部材３０の上方から突出させるとともに、雰囲気遮断部材６０を上方位置ＨＨに位置させて、雰囲気遮断部材６０とスピンチャック１との間の間隔を広げる。こうして、雰囲気遮蔽部材６０とスピンベース３との間に、基板Ｗの搬入経路が確保される。この時、基板保持部材４と押圧部材６８の夫々6個が対向する回転位置で、スピンベース３と雰囲気遮断部材６０が停止されている。
【００４３】
これにより、スピンチャック１の上端が受け渡し高さに達すると、この状態で、図示しない基板搬送ロボットが未処理の基板Ｗをスピンチャック１に引き渡す。スピンチャック１は受け取った基板Ｗを保持する。基板搬送ロボットの基板保持ハンドがスピンチャック１内に入り込み、基板保持部材４の上に未処理の基板Ｗをおき、その後、スピンチャック１外に退避する。この過程で、上述のように、基板Ｗは、基板支持部材４の案内立ち上がり面４ｂによって、支持面４ａへと落とし込まれる。
【００４４】
続いて、基板Ｗの受け取りが終わると、図６（ｂ）に示すように、制御部５０は、接離機構６７を制御して、雰囲気遮断部材６０を下降させる。これにより、雰囲気遮断部材６０がスピンベース３に下方位置ＭＨに導かれ、雰囲気遮断部材６０の押圧部材６８と、スピンベース３の基板支持部材４とが、基板Ｗの周縁部で所定の隙間を有して６箇所で対向することになる。
【００４５】
さらに、案内部材３０を第１の高さ位置Ｈ１に位置させて、スピンチャック１に保持された基板Ｗの高さ位置ＨＷに案内部材３０の傾斜部３１ａを位置させるとともに、雰囲気遮断部材６０を下方位置ＭＨに位置させて、スピンチャック１に保持された基板Ｗの上面と雰囲気遮断部材６０との間の間隔をＷＢにする。これにより、傾斜部３１ａの上端部の気体取り込み口３２ａの中央部分は雰囲気遮断部材６０によって塞がれることになる。上記間隔ＷＢは、雰囲気遮断部材６０が気体取り込み口３２ａの中央部分を塞ぐように配置される間隔である。
【００４６】
さらに、制御部５０は、共通の駆動制御信号を与え、モーター６、６４を同期回転させる。ただし、モーター６、６４は互いに反対方向に回転する。これにより、上下の回転筒３８、５８が同じ方向に回転され、これらの回転筒３８、５８に固定されている雰囲気遮断部材６０およびスピンベース３がそれぞれの中心を通る鉛直軸芯Ｊまわりに一体的に同期回転することになる。したがって、スピンベース３に保持されている基板Ｗは、水平に保持された状態で、そのほぼ中心を通る鉛直軸芯Ｊまわりに回転されることになる。
【００４７】
次いで、この状態で、制御部５０は、洗浄液供給部７ａから薬液を基板Ｗの下面に供給して本発明の第一処理工程としての薬液処理を開始する。すなわち、開閉バルブ１１ａを開成することにより、洗浄液供給管７の洗浄液供給部７ａから洗浄用薬液としてのエッチング液を吐出させる。これにより、基板Ｗの下面の中央に向けてエッチング液が至近距離から供給される。供給されたエッチング液は、基板Ｗの回転に伴う遠心力によって回転半径方向外方側へと導かれるので、結果として、基板Ｗの下面の全域に対して隈無く薬液洗浄を行うことができる。
【００４８】
また、基板Wの下面を伝わって下面周辺部に向ったエッチング液が基板Ｗの上面に這い上がって上面の周辺部を処理する。このとき固定系である洗浄液供給部７ａからのエッチング液が、回転している基板Ｗの下面に触れることとにより抵抗となり、基板支持部材４上面に摺動自在に保持されている基板Ｗはスピンベース３に対し遅れて回転することとなる。つまり、基板Ｗとスピンベース３の回転数に差が生じて基板Ｗが基板保持部材４の基板保持部４ａを滑り出す。従って、基板支持部材４が基板Ｗの端縁の同じ位置に当接し続けることがないので、保持に起因する処理ムラを防止することができる。なお、この薬液処理期間中、開閉バルブ１１ｂは、閉成状態に保持される。
【００４９】
この薬液処理の際に、回転される基板Ｗの外周部から振り切られて周囲に飛散する薬液は、傾斜部３１ａで受け止められ、傾斜部３１ａ、垂直部３３に沿って第１の排液槽２４ａに導かれ、第１の排液口２８ａから排液され、回収ドレイン２７を経て回収タンクに回収されることになる。
【００５０】
なお、薬液供給源９から基板Ｗに供給されるエッチング液としては、たとえば、ＨＦ、ＢＨＦ（希フッ酸）、Ｈ３ＰＯ４、ＨＮＯ３、ＨＦ＋Ｈ２Ｏ２（フッ酸過水）、Ｈ３ＰＯ４＋Ｈ２Ｏ２（リン酸過水）、Ｈ２ＳＯ４＋ Ｈ２Ｏ２（硫酸過水）、ＨＣｌ＋ Ｈ２Ｏ２（アンモニア過水）、Ｈ３ＰＯ４＋ＣＨ３ＣＯＯＨ＋ＨＮＯ３、ヨウ素＋ヨウ化アンモニウム、しゅう酸系やクエン酸系の有機酸、ＴＭＡＨ（テトラ・メチル・アンモニウム・ハイドロオキサイド）やコリンなどの有機アルカリを例示することができる。
【００５１】
また、基板Ｗから飛散され傾斜部３１ａに当たった薬液の一部はミストとなって浮遊することになる。しかしながら、この装置では、基板Ｗの上面から所定間隔ＷＢ隔てて配置された雰囲気遮断部材６０により、案内部材３０の気体取り込み口３２ａの中央部分が塞がれているので、案内部材３０の内壁面の内側の空間には、案内部材３０の気体取り込み口３２ａと雰囲気遮断部材６０との間の円環状の狭い隙間８０から気体が流入することになり、その隙間８０から流入し、基板Ｗ及びスピンベース３の周囲を流下してスピンチャック１の下方の排気口２６に流れる気体の流速は比較的速くなり、スピンチャック１の下方空間で気体の対流が起き難くなる。また、基板Ｗの周囲を流下する気流がエアーカーテンの役目を果たすことになるので、そのエアーカーテンの外部に浮遊する薬液のミストがそのエアーカーテンの内部の基板Ｗ側に流れるのを抑制することにもなる。さらに、気流の一部が第１の排液槽２４ａ内にも流れるので、その気流によって傾斜部３１ａ付近に浮遊する薬液のミストは第１の処理槽２４ａ内に押し流される。従って、薬液のミストが基板Ｗに再付着するのを抑制することができる。
【００５２】
また、案内部材３０の傾斜部３１ａとスピンチャック１に保持された基板Ｗとは十分に離されるように案内部材３０が配置されているとともに、案内部材３０の傾斜部３１ａ（３１ｂ）は、上方に向かうほど径が小さくなるように形成されさらに、基板Ｗの上方に雰囲気遮断部材６０も配置されているので、傾斜部３１ａからの薬液の跳ね返りが基板Ｗに付着するような不都合も起き難い。従って、基板Ｗへの薬液の再付着を好適に抑制することができる。
【００５３】
所定の薬液洗浄処理時間が経過すると、洗浄液供給部７ａからのエッチング液の供給を停止する。そして、図６（ｃ）に示すように、制御部５０は、接離機構６７を制御して、雰囲気遮断部材６０を下降する。雰囲気遮断部材６０は押圧部材６８が基板Ｗの表面に当接する近接位置ＬＨまで下降され、スピンベース３の基板支持部材４とが、基板Ｗの周縁部を６箇所で挟持することになる。また、案内部材３０を第２の高さ位置Ｈ２に位置させて、スピンチャック１に保持された基板Ｗの高さ位置ＨＷに案内部材３０の傾斜部３１ｂを位置させる。このとき、雰囲気遮断部材６０は近接位置ＬＨに位置され、スピンチャック１に保持された基板Ｗの上面と雰囲気遮断部材６０との間の間隔をＤ１とする。この状態で、傾斜部３１ｂの上端部の気体取り込み口３２ｂの中央部が雰囲気遮断部材６０によって塞がれるように、上下の気体取り込み口３２ａ、３２ｂの鉛直方向の間隔ＺＬが決められている。
【００５４】
予め定めた一定時間だけエッチング液が供給された後、制御部５０は、開閉用バルブ１１ａを閉成して薬液処理工程を終了するとともに、開閉用バルブ１１ｂ、７２ｂを開成する。これにより、洗浄液供給部７ａ、７０ａからは、リンス液（純水、オゾン水、電解イオン水など）が、基板Ｗの上下面の中央に向けて供給されることになる。この状態で、洗浄液供給部７ａ、７０ａからリンス液を基板Ｗの上下両面に供給して基板Ｗに付着している薬液を純水で洗い落とすリンス処理を行う。こうして、薬液処理工程後の基板Ｗの上下面に存在するエッチング液を洗い流すためのリンス工程が行われる。
【００５５】
このリンス処理の際に、回転される基板Ｗの外周部から振り切られて周囲に飛散する廃液（薬液が混ざった純水）は、傾斜部３１ｂで受け止められ、傾斜部３１ｂ、垂直部３４ｂに沿い、開口３５から第２の排液槽２４ｂに導かれ、第２の排液口２８ｂから排液され、廃棄ドレイン２９を経て廃棄されることになる。
【００５６】
また、基板Ｗから飛散され傾斜部３１ｂに当たった廃液の一部はミストとなって浮遊するが、薬液処理の場合と同様の作用により、基板Ｗへの廃液の再付着を好適に抑制することができる。さらに、スピンベース３の周囲を流下する気流によって、仕切り部材２２ａの上端と気体取り込み口３２ａとの間の開口を塞ぐようにエアーカーテンが形成されるとともに、その一部の気流が傾斜部３１ａに沿って第１の排液槽２４ａに流入し、第１の排液槽２４ａに浮遊する薬液のミストが基板Ｗに再付着することも抑制される。
【００５７】
予め定めた一定時間だけリンス液が供給された後、制御部５０は、開閉用バルブ１１ｂ、７２ｂを閉成してリンス工程を終了する。次に、モーター６、６４を高速回転させるための制御信号を与える。これにより、基板Ｗの回転が加速され、その表面の液成分が遠心力によって振り切られる。こうして、乾燥工程が行われる。この乾燥工程の際、制御部５０は、開閉用バルブ１３、７４を開成し、気体供給部１２ａ、７３ａから基板Ｗの上下面に窒素ガスを供給させる。これにより、雰囲気遮断部材６０とスピンベース３との間の制限された小容積の空間の空気は、すみやかに窒素ガスに置換されるので、洗浄処理後の基板Ｗの上下面に不所望な酸化膜が成長することはない。
【００５８】
乾燥工程の終了後には、制御部５９は、モーター６、６４の回転を停止させ、さらに、図６（ａ）に示すように接離機構６７によって雰囲気遮断部材６０を上方位置ＨＨに上昇させ、その後、案内部材３０を、第３の高さ位置Ｈ３にまで下降させる。この状態で、基板搬送ロボットが、洗浄および乾燥処理済みの基板Ｗを基板支持部材４から受け取って、スピンチャック１外に搬出することになる。従って、１枚の基板Ｗに対する回転処理を終了する。なお、上記リンス処理と乾燥工程が本発明の第二処理工程に相当する。
【００５９】
以上、上記実施例によれば、この基板処理装置は、半導体ウェハなどの基板Ｗを水平面内で回転させながら、基板Ｗの表裏面に処理を施す装置である。この基板処理装置は、スピンベース３の上面で立設されている基板Ｗの外周縁に当接して基板Ｗを支持する複数個の基板支持部材４により摺動自在に保持されているので、一定の加減速や処理液の供給により基板は複数個の基板支持部材４に対して滑り出し、基板Ｗとスピンベース３の回転数に差が生じて基板Ｗがスピンベース３に対して相対回転を行う。したがって、基板支持部材４のが基板Ｗの外周端縁の同じ位置に当接し続けることがないので、支持に起因する処理ムラを防止して、均一な処理を施すことができる。
【００６０】
また、この実施形態によれば、乾燥処理等の高速回転が必要な処理においては、基板Ｗの外周周縁を雰囲気遮断部材６０およびスピンベース３に設けた基板支持部材４と押圧部材６８によって上下から挟持し、その状態で、雰囲気遮断部材６０およびスピンベース３を回転するようにしている。そのため、基板Ｗがスピンチャック１より飛び出すような不具合が発生することなく回転処理が行なわれる。
【００６１】
また、基板Ｗの上下面と雰囲気遮断部材６０およびスピンベース３との間隔Ｄ１、Ｄ２は基板支持部材４と押圧部材６８によって確実に規定されるから、雰囲気遮断部材６０およびスピンベース３と基板Ｗとが衝突するおそれがない。そのため、雰囲気遮断部材６０およびスピンベース３と基板Ｗの上下面との間隔Ｄ１、Ｄ２を小さくすることが容易である。そこで、これらの間隔Ｄ１、Ｄ２を十分に小さくしておくことによって、周囲のパーティクルが基板Ｗの表面に付着することを防止できる。また、基板Ｗの周囲の空間を効果的に制限できるので、この基板Ｗの周囲をすみやかに窒素ガス雰囲気とすることができる。これにより、基板Ｗの回転処理を良好に行うことができる。
【００６２】
しかも、基板Ｗの上下面に極近接した雰囲気遮断部材６０およびスピンベース３の中央から、洗浄液供給部７ａ、７０ａを基板Ｗの上下面に臨ませているので、洗浄液供給部７ａ、７０ａから基板Ｗの上下面に至る液経路長が極めて短い。そのため、液供給による抵抗が確実に生じるので基板Ｗは基板支持部材に対して容易に摺動することとなる。
【００６３】
さらには、基板Ｗの外周端縁を上下より挟持することによって基板Ｗを支持する構成であるので、たとえば、スピンベース３にメカニカルチャックを立設して基板Ｗの端面を把持させる場合と比較すると、スピンベース３とともに回転するメカニカルチャックを動作させるための複雑な駆動機構が不要であるから、構成が極めて簡単になる。また、メカニカルチャックを用いる場合に比較して、風を切る部材が少ないので、雰囲気遮蔽部材６０およびスピンベース３の周辺の気流の乱れが少ない。これにより、ミストの発生やパーティクルの巻き上げなどを効果的に防止できるから、基板Ｗの処理品質を向上できる。
【００６４】
なお、基板Ｗの外周端縁を上下の部材により挟持するためには、基板保持部材４および押圧部材６８の位置が整合するように雰囲気遮蔽部材６０とスピンベース３との相対回転位置が調整されている必要がある。ただし、雰囲気遮蔽部材６０とスピンベース３とは、どちらか一方が回転を開始した時に両方が回転し、また、その状態で回転を停止するので、両者の回転位置を一度整合させておけば、その後には、原則として再調整しなくとも、基板保持部材４と押圧部材６８の位置が整合した状態が保持される。
【００６５】
なお、薬液を用いた処理の際に、必要に応じて、雰囲気遮断部材６０を回転させてなくてもよいし、気体供給部１２ａ、７３ａから気体を供給させてもよい。この場合、制御部５０は、スピンベース３の回転位置を常に監視し、基板Ｗの外周端縁を挟持する時に、基板保持部材４および押圧部材６８の位置が整合するように雰囲気遮蔽部材６０とスピンベース３との相対回転位置を調整する必要がある。
【００６６】
＜第二の実施例＞上記の実施例においてはリンス工程時に基板Ｗを挟持するようにしているが、本発明は、リンス工程時の洗浄ムラにも同様に適用することができる。
【００６７】
すなわち、上記実施例装置のように構成された基板処理装置においては、次にように基板処理が行われる。
図６（ａ）及び図６（ｂ）に示すように、所定の薬液洗浄処理時間が経過すると、洗浄液供給部７ａからの薬液の供給を停止する。そして、図６（ｂ）に示すように、案内部材３０を第２の高さ位置Ｈ２に位置させて、雰囲気遮断部材６０は下方位置ＭＨに位置させたまま、この状態で、開閉用バルブ１１ｂ、７２ｂを開成する。これにより、洗浄液供給部７ａ、７０ａからは、リンス液（純水、オゾン水、電解イオン水など）が、基板Ｗの上下面の中央に向けて供給されることになる。この状態で、洗浄液供給部７ａ、７０ａからリンス液を基板Ｗの上下両面に供給して基板Ｗに付着している薬液を純水で洗い落とすリンス処理を行う。
【００６８】
この基板Ｗのリンス処理中における基板保持部材４と基板Ｗの外周端縁との洗浄状態の関係について説明する。回転処理中の基板保持部材４による基板Ｗの外周端縁付近は気流の乱れなどによって、洗浄液の流れが基板保持部材４付近では乱れて、その結果、未洗浄部分が形成される。そこで、雰囲気遮断部材６０は下方位置ＭＨに位置させたまま、すなわち、スピンチャック１に保持された基板Ｗの上面と雰囲気遮断部材６０との間の間隔をＷＢに維持することで、このリンス処理中においても、基板Ｗとスピンベース３の回転数に差が生じて基板Ｗが基板保持部材４の支持面４ａを滑り出す。従って、基板支持部材４が基板Ｗの端縁の同じ位置に当接し続けることがないので、保持に起因する処理ムラを防止することができる。
【００６９】
予め定めた一定時間だけリンス液が供給された後、制御部５０は、開閉用バルブ１１ｂ、７２ｂを閉成してリンス工程を終了する。その後、制御部５０は、接離機構６７を制御して、雰囲気遮断部材６０を図６（ｃ）に示すと同様に下降する。雰囲気遮断部材６０は押圧部材６８が基板Ｗの表面に当接するまで下降され、スピンベース３の基板支持部材４とが、基板Ｗの周縁部を６箇所で挟持することになる。次に、モーター６、６４を高速回転させるための制御信号を与える。これにより、基板Ｗの回転が加速され、その表面の液成分が遠心力によって振り切られる。こうして、乾燥工程が行われる。
【００７０】
以上、上記実施例によれば、リンス処理工程においても、基板支持部材４が基板Ｗの外周端縁の同じ位置に当接し続けることがないので、支持に起因する処理ムラを防止して、均一な処理を施すことができる。
【００７１】
以上、上記実施例によれば、この基板処理装置は、基板Ｗを水平面内で回転させながら、基板Ｗの表裏面に薬液処理、洗浄処理、乾燥処理をその順に施す装置である。この基板処理装置において、薬液処理から乾燥処理までの間、基板Ｗの支持に起因する処理ムラを防止して処理される。なお、上記第一の実施例においては薬液処理が第一処理工程に、洗浄処理と乾燥処理が第二処理工程に相当する。また、上記第二の実施例においては薬液処理と洗浄処理が第一処理工程に、乾燥処理が第二処理工程に相当する。
【００７２】
＜第三の実施例＞図７は、この発明の第三の実施形態の構成を説明するための図解的な断面図である。この図７において、上述の図１ないし図４に示された各部と同等の部分には、同一の参照符号を付して示す。この実施形態では、スピンベース３の外周端縁には、基板保持部材１１０が、たとえば、図８に示すように、スピンベース３の上面３Ａに、周方向に沿って等間隔に６個配置されている。この基板保持部材１１０は、スピンベース３の上面３Ａに平行な平坦面を有する支持面１１１と、この支持面１１１よりもスピンベース３の回転半径方向外方側において立ち上がった案内立ち上がり面１１２とを有している。案内立ち上がり面１１２は、上記回転半径方向外方側に向かうに従って高くなるように形成された案内面１１２ａを有している。そして、支持面１１１には、弾性材料からなる半球状の支持突起１１３が上向きに固定されている。
【００７３】
一方、雰囲気遮断部材６０の下面６０Ａの外周端縁には、押圧部材１２０が、基板保持部材１１０に対応するように、たとえば、周方向に沿って等間隔に６個配置されている。この押圧部材１２０には、弾性材料からなる半球状の押圧突起１２１が下向きに固定されている。そして、押圧部材１２０の、雰囲気遮断部材６０の回転半径方向外方側には、この半径方向外方側に向かうに従って高くなる下向きのテーパー面１２０ａが形成されている。このテーパー面１２０ａの傾斜は、基板保持部材１１０側の案内面１１２ａの傾斜と整合している。
【００７４】
この構成により、基板Ｗをスピンベース３に受け渡す際、基板保持部材１１０の案内面１１２ａによって、基板Ｗを所定の位置に案内して落とし込むことができる。雰囲気遮断部材６０をスピンベース３に近接させて支持突起１１３と押圧突起１２１によって基板Ｗの外周端縁を挟持するときには、基板保持部材１１０の案内立ち上がり面１１２は、押圧部材１２０のテーパー面１２０ａの下方の空間に納められるので、案内立ち上がり面１１２が押圧部材１２０と干渉するおそれはない。この構成によっても、上述の第１の実施形態の場合と同様な作用効果を達成できる。
【００７５】
なお、本発明は、上述した実施例および変形例に限定されるものではなく、以下のように他の形態でも実施することができる。
【００７６】
（１）上記の実施例においてはエッチング処理を施すことを目的としているが、本発明は、その他の処理液を基板Ｗに供給して所定の処理を基板Ｗに施す各種の基板処理装置にも同様に適用することができる。
【００７７】
（２）実施例装置では、基板保持部材と押圧部材を６個備えた例を説明したが、本発明は３個以上であればこの個数に限定されるものではない。
【００７８】
（３）上述の実施形態では、雰囲気遮断部材６０とスピンベース３との回転駆動のためにモーター６、６４をそれぞれ設けているが、基板支持部材４と押圧部材６８によって基板Ｗを挟持した状態においては、雰囲気遮断部材６０とスピンベース３とは互いにトルクを伝達し合うことができる。したがって、モーター６、６４のうちの一方は設けられなくてもよい。
【００７９】
（４）また、上述の各実施形態では、基板支持部材４と押圧部材６８を弾性材料で構成する場合について説明したが、これらの部材は必ずしも弾性材料で構成する必要はない。ただし、回転中における基板Ｗの保持を確実にするためには、弾性材料で構成しておくことが好ましい。
【００８０】
（５）また、上述の実施形態では、雰囲気遮断部材６０が昇降駆動される例を挙げたが、雰囲気遮断部材６０を固定しておいてスピンベース３を昇降可能に構成してもよいし、雰囲気遮断部材６０およびスピンベース３の両方が昇降可能な構成であってもよい。少なくともいずれか一方が昇降可能であれば、雰囲気遮断部材６０とスピンベース３との間に基板Ｗを保持でき、また、この保持を解除できる。
【００８１】
（６）さらに、上述の実施形態では、押圧部材６８は雰囲気遮断部材６０の下面に立設するように形成しているが、雰囲気遮断部材６０の下面を一体的に突出させて押圧部材６８を形成するようにしてもよい。すなわち、雰囲気遮断部材６０の下面に突起部を形成し、その突起部の先端で基板Ｗの表面に当接させることで基板Ｗをスピンベース３の基板保持部材４とで挟持する。
【００８２】
（７）さらに、上述の実施形態では、半導体ウエハを洗浄する装置を例にとったが、この発明は、洗浄以外の処理を行う装置にも適用でき、また、ウエハ以外にも液晶表示装置用ガラス基板やフォトマスク用のガラス基板、光ディスク用の基板などの各種の基板に対して処理する装置にも同様に適用することができる。
【００８３】
その他、特許請求の範囲に記載された技術的事項の範囲で種々の設計変更を施すことが可能である。
【００８４】
【発明の効果】
以上の説明から明らかなように、本発明によれば、基板は基板保持手段に摺動自在に保持されているので、この状態で基板を回転させる第一処理工程で基板は基板保持手段に対して滑り出し、基板と基板保持手段の回転数に差が生じて基板が基板保持手段に対して相対回転を行う。したがって、基板保持部材が基板外周端縁の同じ位置に当接し続けることがない。また、第二処理工程では、押圧手段と基板保持手段により基板を挟持して処理されるので、基板は確実に回転される。したがって、基板の支持に起因する処理ムラを防止して、均一な処理を施すことができる。
【図面の簡単な説明】
【図１】本発明の一実施形態に係る基板処理装置の構成を示す縦断面図である。
【図２】上記基板処理装置の雰囲気遮断部材の底面図である。
【図３】上記基板処理装置のスピンベースの平面図である。
【図４】支持部材と押圧部材による基板の挟持状態を示す拡大断面図である。
【図５】実施形態に係る装置の制御系の構成を示すブロック図である。
【図６】実施形態に係る装置の動作を説明するための図であって、（ａ）はスピンチャックに対する基板の受渡しを行う状態を示す縦断面図、（ｂ）は薬液処理の状態を示す縦断面図、（ｃ）はリンス処理及び乾燥処理の状態を示す縦断面図である。
【図７】この発明の第三の実施形態の構成を説明するための図解的な断面図である。
【図８】上記第三の実施形態におけるスピンベースの平面図である。
【図９】従来方法による問題点を示す図である。
【図１０】従来方法による問題点を示す側面図である。
【符号の説明】
Ｗ  基板
Ｑ  処理液
１  スピンチャック
３  スピンベース
４、１００、１１０  基板保持部材
４ａ、１１１  支持面
４ｂ、１１２  案内立ち上がり面
６  電動モーター
６４  モーター
９  薬液供給源
１０  純水供給源
５０  制御部
６０  雰囲気遮断部材
６７  接離機構
６８、１２０  押圧部材
６８ａ  平坦面
６８ｂ、１２０ａ  テーパー面
Ｈ１  第１の高さ位置
Ｈ２  第２の高さ位置
Ｈ３  第３の高さ位置
ＨＨ  上方位置
ＭＨ  下方位置
ＬＨ  近接位置
【図１】
0004095236.tif 000002
【図２】
0004095236.tif 000003
【図３】
0004095236.tif 000004
【図４】
0004095236.tif 000005
【図５】
0004095236.tif 000006
【図６】
0004095236.tif 000007
【図７】
0004095236.tif 000008
【図８】
0004095236.tif 000009
【図９】
0004095236.tif 000010
【図１０】
0004095236.tif 000011